(57)【要約】【課題】  快適な空調に要求される高温の吹き出し温度とやや低温の床温度をエネルギー効率よく実現できる空気調和機を提供する。【解決手段】  室外側熱交換器４と、利用側熱交換器２とを備え、冷媒に超臨界で使用する超臨界冷媒を用いた空気調和機である。利用側熱交換器２は、ガスクーラ領域の高温側を利用する第１熱交換器６と、ガスクーラ領域の低温側を利用する第２熱交換器８とを直列に接続して構成する。第１熱交換器６が室内空気温調用であると共に、第２熱交換器８が床暖房用である。【選択図】    図１
2006322705.tif 000002
【特許請求の範囲】
【請求項１】
室外側熱交換器（４）と、利用側熱交換器（２）とを備え、冷媒に超臨界で使用する超臨界冷媒を用いた空気調和機であって、上記利用側熱交換器（２）は、ガスクーラ領域の高温側を利用する第１熱交換器（６）と、ガスクーラ領域の低温側を利用する第２熱交換器（８）とを直列に接続して構成し、上記第１熱交換器（６）を室内空気温調用とすると共に、上記第２熱交換器（８）を床暖房用とし、上記第２熱交換器（８）が他の熱媒体を加熱してこの熱媒体により床暖房を行うべく構成し、さらに、上記第２熱交換器（８）から流出する冷媒が、ガス域又は超臨界域に存することを特徴とする空気調和機。
【請求項２】
上記第１熱交換器（６）が蒸発器として機能する冷房運転を可能とする切換手段（３２）を備えたことを特徴とする請求項１の空気調和機。
【請求項３】
上記第１・第２熱交換器（６）（８）のどちらかの単独使用を可能としたことを特徴とする請求項１又は請求項２の空気調和機。
【請求項４】
膨張機（２８）を有する冷媒回路を備え、この膨張機（２８）で回収した動力を、この冷媒回路の圧縮機（１）の駆動力に利用することを特徴とする請求項１〜請求項３のいずれかの空気調和機。
【発明の詳細な説明】
【技術分野】
【０００１】
この発明は、空気調和機に関するものである。
【背景技術】
【０００２】
従来の空気調和機としては、図７に示すように、室内空気温調を行う室内空気調和ユニット５１と、床暖房を行う床暖房ユニット５２とを備えたものがある（例えば、特許文献１参照）。すなわち、冷媒回路として、圧縮機５３と、室内熱交換器５４と、床暖用熱交換器５５と、膨張弁５６と、室外熱交換器５７等を備える。そして、圧縮機５３の吐出管５８に、室内熱交換器５４に接続される配管５９と、床暖用熱交換器５５に接続される配管６０とが接続され、室内熱交換器５４から膨張弁５６に接続される配管６１に、床暖用熱交換器５５に接続される配管６２が接続される。また、膨張弁５６と室外熱交換器５７とが配管６３にて接続され、室外熱交換器５７と圧縮機５３とが、圧縮機５３の吸入管６４にて接続されている。このため、室内熱交換器５４と、床暖用熱交換器５５とは並列に接続されている。
【特許文献１】特開平５−２８８４２８号公報
【発明の開示】
【発明が解決しようとする課題】
【０００３】
上記のように構成された空気調和機では、圧縮機５３を駆動させると、冷媒（例えば、Ｒ４１０Ａ等）が、この冷媒回路を流れ、室内熱交換器５４及び床暖用熱交換器５５が凝縮器として機能すると共に、室外熱交換器５７が蒸発器として機能して、室内暖房及び床暖房を行うことができる。ところで、一般に、冷媒として、上記のように、例えば、Ｒ４１０Ａを使用した冷媒回路の場合、エントロピ−温度線図は図６に示すものとなる。すなわち、凝縮器の大部分を凝縮域が占めることになり、ほぼ一定の温度（凝縮温度）しか取出せない。従って、高温高圧のガスが凝縮するときの熱で、室内暖房と床暖を行うことになり、室内加熱温度と床暖の加熱温度とがほぼ同じとなる。
【０００４】
ところで、冬場において、室内暖房と、床暖房とを行う場合、床の温度を室内空気温度よりも低いほうが快適に過ごすことができる。すなわち、室内空気温度を高温気味とすると共に、床の温度を室内空気温度よりも低い低温気味に加熱にするのが好ましい。従って、上記のような空気調和機では、室内空気温と床の温度とに差をつけることができず、快適性を満足させることができなかった。また、減圧機構等をさらに付加して、無理に温度差を付けることも可能であるが、このような場合、エネルギ効率が悪くなると共に、コスト高になっていた。
【０００５】
この発明は、上記従来の欠点を解決するためになされたものであって、その目的は、快適な空調に要求される高温の吹き出し温度とやや低温の床温度をエネルギ効率よく実現できる空気調和機を提供することにある。
【課題を解決するための手段】
【０００６】
そこで請求項１の空気調和機は、室外側熱交換器４と、利用側熱交換器２とを備え、冷媒に超臨界で使用する超臨界冷媒を用いた空気調和機であって、上記利用側熱交換器２は、ガスクーラ領域の高温側を利用する第１熱交換器６と、ガスクーラ領域の低温側を利用する第２熱交換器８とを直列に接続して構成し、上記第１熱交換器６を室内空気温調用とすると共に、上記第２熱交換器８を床暖房用とし、また、上記第２熱交換器８が他の熱媒体を加熱してこの熱媒体により床暖房を行うべく構成し、さらに、上記第２熱交換器８から流出する冷媒が、ガス域又は超臨界域に存することを特徴としている。
【０００７】
請求項１の空気調和機では、利用側熱交換器２の第１熱交換器６はガスクーラ領域の高温側を利用するものであり、また、利用側熱交換器２の第２熱交換器８はガスクーラ領域の低温側を利用するものであるので、第１熱交換器６にて熱交換される空気等の被加熱体は高温となり、第２熱交換器８にて熱交換される水等の被加熱体は上記高温よりも低い温度に加熱されることになる。すなわち、第１熱交換器６にて加熱される被加熱体と、第２熱交換器８にて加熱される被加熱体とに温度差を付けることができる。特に、上記空気調和機では、第１熱交換器６が室内空気温調用であるので、この第１熱交換器６で温調された空気は高温の吹き出し温度となって室内へ吹き出すことができる。また、第２熱交換器８が床暖房用であるので、上記吹き出し温度よりもやや低温に床を暖めることができる。さらに、上記空気調和機では、第２熱交換器８が他の熱媒体を加熱してこの熱媒体により床暖房を行うので、床暖房を行いたい床の内部に第２熱交換器８を直接に配置する必要がなくなり、施工が容易となる。また、他の熱媒体が循環する循環路を、床全体に配置させ易い利点もある。しかも、第２熱交換器８から流出する冷媒が、ガス域又は超臨界域に存するので、第１熱交換器６及び第２熱交換器８にて構成される利用側熱交換器によるガスクーラ全域において、温度勾配をより確実に付けることができる。
【０００８】
請求項２の空気調和機は、上記第１熱交換器６が蒸発器として機能する冷房運転を可能とする切換手段３２を備えたことを特徴としている。
【０００９】
上記請求項２の空気調和機では、冷房運転が可能であるので、夏場においても快適空間を形成することができる。また、冬場においては、室内空気を暖める暖房運転と、床暖房運転とを行うことができる。
【００１０】
請求項３の空気調和機は、上記第１・第２熱交換器６、８のどちらかの単独使用を可能としたことを特徴としている。
【００１１】
上記請求項３の空気調和機では、第１・第２熱交換器６、８のどちらかの単独使用を可能であるので、ユーザの希望により、第１熱交換器６側を使用したり、第２熱交換器８側を使用したりすることができ、使い勝手がよいと共に、無駄な運転を回避することができる空気調和機となる。
【００１２】
請求項４の空気調和機は、膨張機２８を有する冷媒回路を備え、この膨張機２８で回収した動力を、この冷媒回路の圧縮機１の駆動力に利用することを特徴としている。
【００１３】
上記請求項４の空気調和機では、膨張機２８で回収した動力を、圧縮機１の駆動力に利用することができ、効率のよい運転を行うことができる。
【発明の効果】
【００１４】
請求項１の空気調和機によれば、第１熱交換器にて加熱される被加熱体と、第２熱交換器にて加熱される被加熱体とに温度差を付けることができる。これによって、高温の被加熱体を形成することができると共に、この高温の被加熱体よりの低温の被加熱体を形成することができる。すなわち、別途減圧機構等を設けることなく確実に、第１・第２熱交換器によって温度差のある被加熱体を形成することができ、使い勝手のよい空気調和機を低コストにて提供することができる。また、冷媒が炭酸ガス等の超臨界冷媒であるので、オゾン層の破壊、環境汚染等の問題がなく、地球環境にやさしい空気調和機となる。特に、第１熱交換器で温調された空気は高温の吹き出し温度となって室内へ吹き出すことができる。また、第２熱交換器が床暖房用であるので、上記吹き出し温度よりもやや低温に床を暖めることができる。これによって、理想とする心地よい環境をエネルギ−効率良く実現できる。さらに、床暖房を行いたい床の内部に第２熱交換器８を配置する必要がなくなり、施工が容易となる。また、他の熱媒体が循環する循環路を、床全体に配置させ易く、このため、床暖房を行う床全体をほぼ均一に暖めることができる。しかも、第１熱交換器及び第２熱交換器にて構成される利用側熱交換器によるガスクーラ全域において、温度勾配をより確実に付けることができる。これにより、第１熱交換器にて加熱される被加熱体と、第２熱交換器にて加熱される被加熱体との温度差をより確実に付けることができ、運転の信頼性が一層向上する。
【００１５】
請求項２の空気調和機によれば、冷房運転が可能であるので、夏場においても快適空間を形成することができ、また、冬場においては、室内空気を暖める暖房運転と、床暖房運転とを行うことができる。これによって、一年中快適に過ごすことができる。
【００１６】
請求項３の空気調和機によれば、ユーザの希望により、第１熱交換器側を使用したり、第２熱交換器側を使用したりすることができ、使い勝手がよい空気調和機となり、しかも、無駄な運転を回避して、省エネを達成することができる。
【００１７】
請求項４の空気調和機によれば、膨張機で回収した動力を、圧縮機の駆動力に利用することができ、ＣＯＰの向上を達成でき、省エネ、電気料金の低減を図ることが可能となる。
【発明を実施するための最良の形態】
【００１８】
次に、この発明の空気調和機の具体的な実施の形態について、図面を参照しつつ詳細に説明する。図１（ａ）はこの空気調和機の第１実施形態の簡略図を示す。この空気調和機は、室内空気温調と、床暖房（床暖）とを行うことができる。すなわち、空気調和機は、圧縮機１と、利用側熱交換器２と、減圧機構３と、室外側熱交換器４とを有する冷媒回路を備える。
【００１９】
利用側熱交換器２は、室内機５を構成するための室内側熱交換器（第１熱交換器）６と、床暖房機（床暖房ユニット）７を構成する床暖用熱交換器（第２熱交換器）８とを備える。すなわち、圧縮機１の吐出口に、順次、第１配管９、第１熱交換器６、第２配管１０、第２熱交換器８、第３配管１１、減圧機構３としての膨張弁１２、第４配管１３、室外側熱交換器４、第５配管１４が接続され、第５配管１４が圧縮機１の吸込み口に接続される。このため、第１熱交換器６と第２熱交換器８とが直列に接続される。また、上記第１熱交換器６及び室外側熱交換器４は、例えば、クロスフィン型のフィン・アンド・チューブ熱交換器で構成され、また第２熱交換器８は水熱交換器で構成される。
【００２０】
そして、上記冷媒回路の冷媒には超臨界で使用する超臨界冷媒（例えば、炭酸ガス、その他、エチレン、エタン、酸化窒素等）を用いる。なお、室外側熱交換器４の近傍には、この室外側熱交換器４の能力を調整するファン１５が設けられ、この室外側熱交換器４と、圧縮機１と、第２熱交換器８と、ファン１５等で室外機１６が構成される。
【００２１】
また、床暖房ユニット７は、内部に循環パイプ１８を有する床暖パネル１９と、上記第２熱交換器８等を備える。循環パイプ１８の入口２０が往き配管２１に接続され、循環パイプ１８の出口２２が戻り配管２３に接続され、往き配管２１と戻り配管２３とは熱交換路２４を介して接続される。そして、往き配管２１に水循環用ポンプ２５が介設されている。すなわち、往き配管２１と循環パイプ１８と戻り配管２３と熱交換路２４とで循環路２６が形成され、この循環路２６に熱媒体としての水が供給されており、水循環用ポンプ２５が駆動することにより、循環路２６内の水が循環する。
【００２２】
従って、上記空気調和機によれば、圧縮機１を駆動させると、冷媒は、順次、第１熱交換器６、第２熱交換器８、膨張弁１２、室外側熱交換器４と矢印のように流れ、第１・第２熱交換器６、８が放熱器として機能し、室外側熱交換器４が蒸発器として機能する。この際、水循環用ポンプ２５を駆動させ、循環路２６内の水を循環させる。これにより、第１熱交換器６では、高圧高温の冷媒が室内空気と熱交換を行って、この高圧高温の冷媒にて加熱された室内空気が温調空気として室内へ吹き出され、また、第２熱交換器８では、高圧高温の冷媒が熱交換路２４の水と熱交換を行って、この高圧高温の冷媒にて加熱された温水が床暖パネル１９の循環パイプ１８を流れ、床暖房を行うことになる。
【００２３】
ところで、この場合、冷媒に炭酸ガス等の超臨界冷媒を使用しているので、図４のエントロピ−温度線図に示すように、ガスクーラ領域に温度勾配が生じる。すなわち、圧縮機１から吐出した高圧冷媒は、Ａの状態の高温（１００〜１１０℃位）であり、第１熱交換器６から流出して第２熱交換器８に入る高圧冷媒は、Ｂの状態の中温（４０〜５０℃位）であり、第２熱交換器８から流出して膨張弁１２に流入する高圧冷媒は、Ｃの状態の低温（２５℃位）となっている。
【００２４】
ＡからＢの範囲において、第１熱交換器６による空気加熱範囲（域）となり、ＢからＣの範囲において、第２熱交換器８による水加熱範囲（域）となる。このため、第１熱交換器６がガスクーラ領域の高温側を利用し、第２熱交換器８がガスクーラ領域の低温側を利用することになって、第１熱交換器６にて熱交換される被加熱体（室内機５から室内へ供給される空気）を高温に加熱することができると共に、第２熱交換器８にて熱交換される被加熱体（床暖に使用される湯）の温度をこの室内空気の温度よりも低い温度に加熱することができる。すなわち、冬場において、室内を暖房する場合に、室内空気をユーザが希望する温度（高温気味の温度）とし、かつ、床をこの室内空気温度よりも低温の心地よい温度とすることができる。これによって、室内を快適状態に設定することができ、ユーザは快適に過ごすことができる。この場合、Ｂ、Ｃの状態としては、冷媒がガス域又は超臨界域に存することが必要である。これは、冷媒がガス域又は超臨界域に存しない状態（気液混合状態）では、温度勾配が生ぜず、温度差を付けにくくなるからである。
【００２５】
また、図１（ｂ）は室外機１６の変形例を示し、この場合、冷媒回路に膨張機２８を有し、この膨張機２８で回収した動力を、圧縮機１の駆動力に利用するように設定している。膨張機２８としては、例えば、スクロール式の膨張機やロータリ式の膨張機等を使用することができる。スクロール式の膨張機は、固定スクロールと、旋回スクロールとを備え、その流入口から高圧の冷媒が流入すると、冷媒は旋回スクロールに旋回動力を生じさせながら次第に減圧膨張し、その流出口から流出する。また、ロータリ式の膨張機は、シリンダに内有されるロータリピストンを備え、ロータリピストンが回転することによって、その流入口から入った冷媒が減圧膨張されて、その流出口から流出する。従って、このような膨張機２８と、圧縮機１と、電動機（モータ）２９とを一体化して、共通の駆動軸を有するものとすれば、膨張機２８で回収した動力（駆動軸の回転力）が直接圧縮機１へ伝達され、この圧縮機１の駆動に利用することができる。
【００２６】
このため、電動機２９が駆動して駆動軸が駆動すると、圧縮機１が駆動することになり、この圧縮機１の駆動によって、図１（ａ）と同様、冷媒が、順次、第１配管９、第１熱交換器６、第２配管１０、第２熱交換器８、第３配管１１と流れ、膨張機２８に流入する。膨張機２８では、その流入した冷媒を膨張させ、減圧して室外側熱交換器４に流出させる。そして、室外側熱交換器４から第５配管（吸込み配管）１４を介して圧縮機１に送られる。
【００２７】
従って、この場合も、図１（ａ）と同様、冬場において、室内を暖房する場合に、室内空気をユーザが希望する温度（高温気味の温度）とし、かつ、床をこの室内空気温度よりも低温の心地よい温度とすることができる。しかも、膨張機２８では、冷媒の膨張によって、上記駆動軸に回転トルクが伝達され、この回転トルクが機械的動力として圧縮機１に伝達され、膨張機２８にて回収した動力を圧縮機１で回収することができる。これにより、この冷媒回路の冷凍サイクルのＣＯＰの向上を達成でき、省エネ、電気料金の低減を図ることができる。すなわち、冷媒が炭酸ガスである場合に、膨張弁を使用した場合と、効率が７５％の膨張機を使用した場合とを比較すれば、膨張機を使用しているほうが、図５に示すようにＣＯＰが向上する。なお、冷媒にＲ４１０を使用して膨張弁を用いた場合、空気吹き出し温度（高温冷媒と熱交換されて加熱された空気の温度）が低い状態（例えば、３５℃位）では、膨張機を使用した場合よりもＣＯＰが高いが、空気吹き出し温度が上昇するに従って、冷媒にＲ４１０を使用した場合のＣＯＰは急激に低下することになる。
【００２８】
次に、図２（ａ）は第２実施形態を示し、この場合、第１熱交換器６と第２熱交換器８の単独の使用を可能としている。すなわち、床暖房ユニット７の床暖運転を行わずに、室内機５の室内空気温調運転のみ行ったり、逆に、室内機５の室内空気温調運転を行わずに、床暖房ユニット７の床暖運転のみを行ったりすることができる。この場合、第１配管９と第２配管１０とを第１連結配管３０にて連結し、第２配管１０と、第３配管１１とを第２連結配管３１にて連結している。なお、他の構成は、図１（ａ）に示した空気調和機と同様であるので、同一部分を同一の符号で示してその説明を省略する。
【００２９】
そして、第１配管９の第１熱交換器６側に第１バルブＶ１を介設し、第１連結配管３０に第２バルブＶ２を介設し、第２配管１０の第１熱交換器６側に第３バルブＶ３を介設し、第２配管１０の第２熱交換器８側に第４バルブＶ４を介設し、第３配管１１の第２熱交換器８側に第５バルブＶ５を介設し、第２連結配管３１に第６バルブＶ６を介設している。この場合、第１連絡配管３０よりも、第１熱交換器６側に第１バルブＶ１と第２バルブＶ２が配置され、第２連絡配管３１よりも、第２熱交換器８側に第４バルブＶ４と第５バルブＶ５が配置される。
【００３０】
従って、空気温調ユニット（室内機５）及び床暖ユニット７を使用する場合、次の表１の上段に示すように、バルブＶ１、Ｖ３、Ｖ４、Ｖ５を開状態とすると共に、バルブＶ２、Ｖ６を閉状態とする。この状態では、上記図１（ａ）と同様に、冷媒が矢印のように流れ、空気温調運転と床暖運転とを行うことができる。
【００３１】
【表１】
2006322705.tif 000003
【００３２】
そして、空気温調運転のみ行うには表１の中段に示すように、バルブＶ１、Ｖ３、Ｖ６を開状態とすると共に、バルブＶ２、Ｖ４、Ｖ５を閉状態とする。これによって、第２熱交換器８側に冷媒が流れず、床暖運転が行われずに、空気温調運転のみが行われる。また、床暖運転のみ行うには表１の下段に示すように、バルブＶ２、Ｖ４、Ｖ５を開状態とすると共に、バルブＶ１、Ｖ３、Ｖ６を閉状態とする。これによって、第１熱交換器６側に冷媒が流れず、空気温調運転が行われずに、床暖運転のみが行われる。
【００３３】
さらに、図３（ａ）は第３実施形態を示し、この空気調和機では、空気温調運転が暖房運転に加えて冷房運転が可能とされている。すなわち、第１熱交換器６が蒸発器として機能する冷房運転を可能とする切換手段３２を備えている。この場合、切換手段３２として四路切換弁３３を使用し、四路切換弁３３の一方の１次ポートに圧縮機１の吐出管３４を接続し、四路切換弁３３の他方の１次ポートに圧縮機１の吸込み管３５を接続し、四路切換弁３３の一方の２次ポートに第１配管９を接続し、四路切換弁３３の他方の２次ポートに第５配管１４を接続さしている。なお、他の構成は、図１（ａ）に示した空気調和機と同様であるので、同一部分を同一の符号で示してその説明を省略する。
【００３４】
従って、暖房時には、四路切換弁３３を破線で示す状態に切換える。すなわち、圧縮機１から吐出される冷媒が第１配管９へ流出し、第１熱交換器６、第２熱交換器８等を流れ、第５配管１４から吸込み配管３５に流入するようにする。この状態では、次の表２の暖房時の欄のように、各バルブＶ１、Ｖ２、Ｖ３、Ｖ４、Ｖ５、Ｖ６を操作することによって、空気温調運転と床暖運転と両運転を行う場合と、空気温調運転のみ行う場合と、床暖運転のみ行う場合の切換えが可能となる。なお、この暖房時の各運転をための各バルブＶ１・・の開閉状態は、上記表１の暖房時と同じである。
【００３５】
【表２】
2006322705.tif 000004
【００３６】
また、四路切換弁３３を図３（ａ）の実線で示す状態に切換えれば、冷房運転を行うことができる。すなわち、図３（ａ）の実線で示す状態に切換えると共に、表２の冷房時の欄のように、バルブＶ１、Ｖ３、Ｖ６を開状態とすると共に、バルブＶ２、Ｖ４、Ｖ５を閉状態とする。この状態で圧縮機１を駆動させれば、冷媒は、圧縮機１から順次、吐出管３４、四路切換弁３３、第５配管１４、室外側熱交換器４、第４配管１３、膨張弁１２、第３配管１１、第２連絡配管３１、第２配管１０、第１熱交換器６、第１配管９、四路切換弁３３、吸込み管３５と矢印のように流れる。これによって、室外側熱交換器４が放熱器として機能し、第１熱交換器６が蒸発器として機能して、冷房運転が行われる。
【００３７】
また、この図３（ａ）において、図３（ｂ）に示すように、膨張機２８を有するものであってもよい。この場合、上記切換手段３２とは別にさらに切換手段３６を必要とする。すなわち、切換手段３６として、四路切換弁３７を使用し、四路切換弁３７の一方の１次ポートを膨張機２８の流入管３８に接続し、四路切換弁３７の他方の１次ポートを膨張機２８の流出管３９に接続し、四路切換弁３７の一方の２次ポートを第３配管１１に接続し、四路切換弁３７の他方の２次ポートを第４配管１３に接続している。
【００３８】
すなわち、冷房時には、図３（ｂ）の実線で示す状態に各四路切換弁３３、３７を切換え、冷媒を、圧縮機１から、四路切換弁３３、室外側熱交換器４、四路切換弁３７、膨張機２８、四路切換弁３７、第１熱交換器６、四路切換弁３３へと矢印のように循環させることにより、第１熱交換器６を蒸発器として機能させる。また、暖房時には、各四路切換弁３３、３７を破線で示す状態として、各バルブＶ１・・の開閉状態を上記表１の暖房時の各状態に切換えることによって、空気温調運転と床暖運転と両運転を行う場合と、空気温調運転のみ行う場合と、床暖運転のみ行う場合の切換えが可能となる。
【００３９】
以上にこの発明の具体的な実施の形態について説明したが、この発明は上記形態に限定されるものではなく、この発明の範囲内で種々変更して実施することができる。例えば、床暖ユニット７において、循環路２６内の熱媒体として、水に限るものではなく、各種の液体、ガス等の流体を使用することができ、また、ジクロロジフルオロメタン（Ｒ−１２）やクロロジフルオロメタン（Ｒ−２２）のような冷媒を使用して、この冷媒を凝縮させてもよい。また、冷媒に超臨界冷媒を用いることによって、図４に示すように、ガスクーラ全域の温度勾配が有することになるので、目的に応じて温度取り出し部分を任意に設定することができ、第１熱交換器６にて加熱される被加熱体と、第２熱交換器８にて加熱される被加熱体とに所望の温度差を付けることができる。さらに、膨張機２８を有する場合、圧縮機１と一体型である必要はなく、膨張機２８で回収した動力を、一旦発電機にて電気エネルギに変換して、この電気エネルギを圧縮機１の駆動電力として入力するようにしてもよい。また、膨張機２８としては、歯車式やスクリュー式等の膨張機であってもよい。なお、冷媒回路の膨張部としては、膨張弁１２と膨張機２８とを有するものであってもよい。
【図面の簡単な説明】
【００４０】
【図１】この発明の空気調和機の第１実施形態を示し、（ａ）は全体簡略図であり、（ｂ）は室外機の変形例を示す簡略図である。
【図２】この発明の空気調和機の第２実施形態を示し、（ａ）は全体簡略図であり、（ｂ）は室外機の変形例を示す簡略図である。
【図３】この発明の空気調和機の第３実施形態を示し、（ａ）は全体簡略図であり、（ｂ）は室外機の変形例を示す簡略図である。
【図４】冷媒に炭酸ガスを使用した場合の特性を示すエントロピ−温度線図である。
【図５】吹き出し温度とＣＯＰとの関係を示すグラフ図である。
【図６】冷媒にＲ４１０を使用した場合の特性を示すエントロピ−温度線図である。
【図７】従来の空気調和機の簡略図である。
【符号の説明】
【００４１】
１  圧縮機
２  利用側熱交換器
４  室外側熱交換器
６  第１熱交換器
８  第２熱交換器
２８  膨張機
３２  切換手段
【図１】
2006322705.tif 000005
【図２】
2006322705.tif 000006
【図３】
2006322705.tif 000007
【図４】
2006322705.tif 000008
【図５】
2006322705.tif 000009
【図６】
2006322705.tif 000010
【図７】
2006322705.tif 000011